(57)【要約】【課題】化粧箱の蓋を紙製バネの態様にしたり、ポップの態様にしたりでき、商品の陳列状況に応じて蓋の態様を変更可能な化粧箱を提供すること。【解決手段】商品を収容して陳列する化粧箱１０であって、複数個の商品を収容するための容器本体１０Ａと、容器本体１０Ａの蓋体とを含み、蓋体は、紙製広告媒体としてのポップ１７Ａ、または、収容された商品を容器本体内で所定の方向へ押圧する紙製バネ１７Ｂにして、容器本体１０Ａに組み合わせられる。【効果】蓋体を利用して、紙製バネの態様や、ポップの態様を作ることができ、商品陳列効果の高い化粧箱とすることができる。【選択図】図９
2018047915.tif 000002
【特許請求の範囲】
【請求項１】
商品を収容して陳列する化粧箱であって、
複数個の商品を収容するための容器本体と、
前記容器本体から分離可能に設けられた蓋体とを含み、
前記蓋体は、予め付与された複数の折り線に沿って折り重ね、前記容器本体の内壁と収容された商品との間に配置することにより、収容された商品を容器本体内で所定の方向へ押圧する紙製バネの態様にできることを特徴とする、化粧箱。
【請求項２】
前記蓋体は、長方形状の板紙を含み、
前記予め付与された複数の折り線は、板紙の長辺方向に所定の間隔で設けられた短辺方向に伸びる複数本の線であり、
前記紙製バネは、前記複数の折り線に沿って、前記長方形状の板紙が交互に山折りと谷折りとに折り重ねられて形成されることを特徴とする、請求項１に記載の化粧箱。
【請求項３】
前記蓋体は、前記紙製バネの態様とせず、前記容器本体に関連して立設状態で配置することにより、紙製広告媒体としてのポップの態様にできることを特徴とする、請求項１または２に記載の化粧箱。
【請求項４】
商品を収容して陳列する化粧箱であって、
複数個の商品を収容するための容器本体と、
前記容器本体の蓋体とを含み、
前記蓋体は、紙製広告媒体としてのポップ、または、収容された商品を容器本体内で所定の方向へ押圧する紙製バネにして、前記容器本体に組み合わせられることを特徴とする、化粧箱。
【請求項５】
前記化粧箱は、所定の形状に打ち抜かれた板紙ブランクが折り曲げられて形成され、
前記蓋体は、前記化粧箱の少なくとも上面を構成する面板紙を含むことを特徴とする、請求項１〜４のいずれか一項に記載の化粧箱。
【請求項６】
前記化粧箱は、所定の形状に打ち抜かれた板紙ブランクが折り曲げられて形成された６面体を含み、
前記蓋体は、前記化粧箱の上面を構成する面板と、前記上面の前端から前面に垂下したフラップ板とを含むことを特徴とする、請求項１〜４のいずれか一項に記載の化粧箱。
【請求項７】
前記蓋体で形成された紙製バネは、複数の折り線に沿って折り重ねられた直列のバネ段が、少なくとも２段以上含まれていることを特徴とする、請求項１，２または４に記載の化粧箱。
【発明の詳細な説明】
【技術分野】
【０００１】
この発明は、化粧箱に関し、特に、菓子などの個装商品を複数個収容して流通するとともに、複数個の個装商品を箱に入れたまま展示販売するために用いる化粧箱に関する。
さらに詳しくは、収容された個装商品を前方に向けて弾力的に押して整列させる機能を有するバネ機能付きの化粧箱に関する。
【背景技術】
【０００２】
従来より、バネ機能を有する化粧箱がいくつか提案されている。
特許文献１には、縦長直方体状の紙製カートンであって、胴部を周回するジッパー部Ｚを除去することにより、カートンを下半部分と上半部分とに分離可能にしたものが提案されている。分離された上半部分のカートンは、天面部を切り取ると、上下が開いた筒状の部材となるから、それを一対の折り線ｍに沿って折り畳んで蛇腹パーツとし、蛇腹パーツを用いてバネ機能を生じさせる。
【０００３】
特許文献２には、包装展示兼用箱が提案されている。この包装展示兼用箱は、商品収容部５０内に向かって押し込み可能な背押し片２０を有し、背押し片２０を内側に押し込むと、背押し片２０が、商品１１を後方から前方に向かって押すという構成を有している。
特許文献３にも、包装展示兼用箱が開示されている。開示された包装展示兼用箱は、後壁の上縁から箱内へ斜めに延びる支持板９を備え、支持板９の一方側辺から後方へ折り曲げた突支板１０が後壁５に当接することで、支持板９は箱内で斜めに位置し、個包装された商品の背面を支える構成を有している。
【０００４】
特許文献４には、外箱本体１と、外箱本体１の後壁に沿って山形に折り畳まれた蓋４を有し、蓋４の下方先端部を輪ゴム７等で前方に弾力的に引っ張るようにして、蓋４が商品の背面を弾力的に押す構成が示されている。
【先行技術文献】
【特許文献】
【０００５】
【特許文献１】特開２０１５−６３３１９号公報
【特許文献２】特開２０１２−１６６７９８号公報
【特許文献３】特開２０１１−１８４０９３号公報
【特許文献４】特開平１０−７１２９号公報
【発明の概要】
【発明が解決しようとする課題】
【０００６】
特許文献１に開示された紙製カートンは、カートンの上半部分から天面部を切り取った筒状の部材を折り畳んで蛇腹パーツというバネ機能部材を作り出す。このため、収容展示に用いるカートンは、その容積が当初の半分となり、収容する商品によっては採用することができないという課題がある。また、箱の天面部は捨て、筒状の部材により蛇腹パーツを作るため、多くの無駄を生じるという課題もある。
【０００７】
さらに、蛇腹パーツは、筒状部材が一対の折り線ｍで折り畳まれ、左右１段ずつのバネ段しか有さないので、そのバネ力が十分でないという課題がある。
特許文献２に記載の包装展示兼用箱は、背押し片２０が箱の背面壁の一部により形成されているので、背押し片２０によるバネ機能が不十分であるという課題がある。
特許文献３に記載の包装展示兼用箱は、支持板９が斜め前方へ傾斜しており、支持板９は商品の背面を支える機能を有するが、商品の背面を前方へ押すバネ機能を有するものではない。
【０００８】
特許文献４に記載の外箱は、バネ機能を輪ゴム７等の付勢紐で発生させるため、外箱を構成する紙板以外に別途付勢紐を用意しなければならず、その構成が複雑であるという課題がある。
この発明は、これら先行技術が有する課題を解決し、簡易で、かつ、無駄のない構成で、バネ機能を備えた化粧箱を提供することを主たる目的とする。
【０００９】
また、この発明は、化粧箱の蓋を紙製バネの態様にしたり、ポップの態様にしたりでき、商品の陳列状況に応じて蓋の態様を変更可能な化粧箱を提供することを他の目的とする。
【課題を解決するための手段】
【００１０】
請求項１記載の発明は、商品を収容して陳列する化粧箱であって、複数個の商品を収容するための容器本体と、前記容器本体から分離可能に設けられた蓋体とを含み、前記蓋体は、予め付与された複数の折り線に沿って折り重ね、前記容器本体の内壁と収容された商品との間に配置することにより、収容された商品を容器本体内で所定の方向へ押圧する紙製バネの態様にできることを特徴とする、化粧箱である。
【００１１】
請求項２記載の発明は、前記蓋体は、長方形状の板紙を含み、前記予め付与された複数の折り線は、板紙の長辺方向に所定の間隔で設けられた短辺方向に伸びる複数本の線であり、前記紙製バネは、前記複数の折り線に沿って、前記長方形状の板紙が交互に山折りと谷折りとに折り重ねられて形成されることを特徴とする、請求項１に記載の化粧箱である。
【００１２】
請求項３記載の発明は、前記蓋体は、前記紙製バネの態様とせず、前記容器本体に関連して立設状態で配置することにより、紙製広告媒体としてのポップの態様にできることを特徴とする、請求項１または２に記載の化粧箱である。
請求項４記載の発明は、商品を収容して陳列する化粧箱であって、複数個の商品を収容するための容器本体と、前記容器本体の蓋体とを含み、前記蓋体は、紙製広告媒体としてのポップ、または、収容された商品を容器本体内で所定の方向へ押圧する紙製バネにして、前記容器本体に組み合わせられることを特徴とする、化粧箱である。
【００１３】
請求項５記載の発明は、前記化粧箱は、所定の形状に打ち抜かれた板紙ブランクが折り曲げられて形成され、前記蓋体は、前記化粧箱の少なくとも上面を構成する面板紙を含むことを特徴とする、請求項１〜４のいずれか一項に記載の化粧箱である。
請求項６記載の発明は、前記化粧箱は、所定の形状に打ち抜かれた板紙ブランクが折り曲げられて形成された６面体を含み、前記蓋体は、前記化粧箱の上面を構成する面板と、前記上面の前端から前面に垂下したフラップ板とを含むことを特徴とする、請求項１〜４のいずれか一項に記載の化粧箱である。
【００１４】
請求項７記載の発明は、前記蓋体で形成された紙製バネは、複数の折り線に沿って折り重ねられた直列のバネ段が、少なくとも２段以上含まれていることを特徴とする、請求項１，２または４に記載の化粧箱である。
【発明の効果】
【００１５】
この発明の化粧箱は、複数個の商品を収容して取引の際の搬送や運搬を良好に行えるものであり、かつ、商品を陳列する場合には、必要に応じて化粧箱の蓋体を分離し、当該蓋体を紙製バネの態様とすることにより、化粧箱内に陳列された商品数が少なくなっても、バネ機能によって商品を適切に整列させることができる。
また、化粧箱の蓋体は、紙製広告媒体としてのポップの態様とすることもできるから、化粧箱にポップを立設することができる。
【００１６】
さらに、この発明によれば、蓋体を利用して、紙製バネの態様や、ポップの態様を作ることができ、商品陳列効果の高い化粧箱とすることができる。
【図面の簡単な説明】
【００１７】
【図１】図１は、この発明の一実施形態に係る化粧箱の外観斜視図である。
【図２】図２は、この発明の一実施形態に係る化粧箱の蓋を開いた状態の外観斜視図である。
【図３】図３は、この発明の一実施形態に係る化粧箱の展開図である。
【図４】図４は、容器本体から分離した蓋体の平面図である。
【図５】図５は、蓋体を紙製バネの態様に折り重ねた状態を示す斜視図である。
【図６】図６は、容器本体にポップを立てた化粧箱の斜視図である。
【図７】図７は、図６の化粧箱をＡ−Ａに沿って切断した縦断面図である。
【図８】図８は、紙製バネを容器本体内に組み入れた化粧箱の斜視図である。
【図９】図９は、図８の化粧箱をＢ−Ｂに沿って切断した縦断面図である。
【図１０】図１０は、化粧箱に複数個の商品が収容された状態の平面図であり、容器本体の後壁と商品との間に配置された紙製バネが縮んだ状態の平面図である。
【図１１】図１１は、化粧箱に商品が収容された状態の平面図であり、紙製バネが伸長して商品を前方に押している状態を示す図である。
【発明を実施するための形態】
【００１８】
以下には、図面を参照して、この発明の実施形態について具体的に説明をする。
図１は、この発明の一実施形態に係る化粧箱１０の外観斜視図であり、図２は、化粧箱１０の蓋１７を開いた状態の外観斜視図である。図３は、化粧箱１０の展開図（すなわち、化粧箱１０として組み立てられる前の板紙ブランク１の平面図）である。
図１〜図３を参照して説明すると、化粧箱１０は、図３に示す板紙ブランク１が折り曲げられることにより形成される。板紙ブランク１では、化粧箱１０の背面１１を形成する背面板紙１１、化粧箱１０の右側面１２を形成する右側面板紙１２、化粧箱１０の正面１３を形成する正面板紙１３、化粧箱１０の左側面１４を形成する左側面板紙１４が、折り線２を介して横方向に連なっている。また、左側面板紙１４の左端縁には折り線２を介して糊代１５が連設されている。板紙ブランク１は、背面板紙１１、右側面板紙１２、正面板紙１３および左側面板紙１４の各下辺から下方へ伸びるように連設された底面板紙１６を備えている。底面板紙１６は折り線３に沿って折り曲げられ、必要に応じて重複する一部が糊付けされることにより、化粧箱１０の底面１６を形成する。
【００１９】
なお、この実施形態では、底面１６は、背面板紙１１、右側面板紙１２、正面板紙１３および左側面板紙１４の各下辺から下方へ連設された複数の底面板紙１６によって形成される例を示したが、底面１６の構成はこれに限られない。たとえばいずれかの面板紙の下辺に連設された１枚または複数枚の底面板紙によって底面１６が形成されてもよい。
背面板紙１１の上辺には上方へ伸びる長方形状の蓋用板紙１７が連設されている。蓋用板紙１７は化粧箱１０の上面１８を構成する上面板紙１８と上面板紙１８の上部に連設されたフラップ板紙１９とを含んでいる。蓋用板紙１７は背面板紙１１の上辺との間が折り線４を介してつながっており、かつ、折り線４にはミシン目が付けられている。このため、蓋用板紙１７は折り線４に沿って折り曲げることができるとともに、折り線４に沿って背面板紙１１から切り離すことができる。
【００２０】
蓋用板紙１７の長さ方向には、ほぼ等間隔に、蓋用板紙１７の短辺方向に伸びる複数本（この実施形態では５本）の折り線５ａ〜５ｅが付与されている。このうちの、折り線５ｄは、蓋用板紙１７を上面板紙１８とフラップ板紙１９とに折り曲げるための折り線である。また、上面板紙１８に付与された３本の折り線５ａ〜５ｃのうち、折り線５ｂは、長さ方向中央部が弧状に湾曲した切り込み５Ｂで繋がっている。この切り込み５Ｂは、後述するように、蓋用板紙１７をポップとして使用する際に、ポップ上端の飾り湾曲として機能するものである。
【００２１】
なお、この実施形態では、蓋用板紙１７に付与した複数本の折り線５ａ〜５ｅは、ほぼ等間隔に設けられているが、間隔差を有するように設けてもかまわない。
また、折り線の数は５本に限られず、収容された商品を容器本体内で所定の方向へ充分な力で押圧できるのであれば、何本設けてもかまわない。
右側面板紙１２の上辺および左側面板紙１４の上辺には、それぞれ、折り線６を介して小フラップ２０が連設されている。小フラップ２０は化粧箱１０の蓋用板紙１７が開いて化粧箱１０の上面が開いた時に、左右両側辺から内方へ張り出している（図２を参照）。小フラップ２０は、化粧箱１０の右側面１２の上辺と左側面１４の上辺と上面１８の両側辺との間に生じる隙間を塞ぐためのものである。
【００２２】
なお、小フラップ２０は、折り線６に沿ってミシン目を形成し、化粧箱１０を商品の展示に使用する際に、切り離せる構成としてもよい。
この実施形態に係る板紙ブランク１には、正面板紙１３の中央上部に飾り戸２１が形成されている。飾り戸２１は、正面板紙１３に形成され、上下に延びる左右一対の切り線７と、飾り戸２１の下部に形成された弧状の切り線８とによって、正面板紙１３から前方へ開くことができる。開いたとき、飾り戸２１を折り線９に沿って折ることにより、飾り戸２１をポップとして活用することができる。
【００２３】
以上説明した図３に示す板紙ブランク１が組み立てられたものが、図１に示す化粧箱１０である。また、化粧箱１０の蓋を開いた状態が、図２に示す形態である。
この実施形態に示す化粧箱１０の特徴は、図４に示すように、化粧箱１０を構成する蓋用板紙１７を折り線４に沿って化粧箱１０の背面（板紙）１１から切り離せることである。
【００２４】
そして、切り離した蓋用板紙１７を折り線５ａ〜５ｅに沿って交互に山折りと谷折りとに折り重ねることにより、図５に示すように、紙製バネ１７Ｂの態様にできることである。すなわち、切り離した蓋用板紙１７を複数の折り線５ａ，５ｂ，５ｃ，５ｄ，５ｅに沿って交互に山折りと谷折りとに折り重ねることにより、複数の折り線５ａ〜５ｅに沿って折り重ねられた直列のバネ段を複数段、この実施形態では直列に５段を有する紙製バネ１7Ｂを形成できる。
【００２５】
図５において、紙製バネ１７Ｂの１つのバネ段に形成された弧状の突部５Ｂは、蓋用板紙１７をポップ１７Ａとして利用する際に必要なものであり、紙製バネ１７Ｂとして利用する際には特に意味のないものである。
図６は、蓋用板紙１７をポップ１７Ａにし、容器本体１０Ａに立設した状態の化粧箱１０の斜視図である。また、図７は、図６の化粧箱１０をＡ−Ａに沿って切断した縦断面図である。
【００２６】
図６および図７に示すように、蓋用板紙１７を折り線５ｂに沿って折り畳むことにより、蓋用板紙１７を紙製広告媒体としてのポップ１７Ａの態様にできる。ポップ１７Ａは、容器本体１０Ａの背面１１から切り離すことなく、背面１１の内側に立てかけることにより、ポップ１７Ａの前面１７０に記載された広告表記を見やすく設置できる。このとき、化粧箱１０の正面１３の飾り戸２１を前方へ折り開くことにより、飾り戸２１もポップとして機能させることができる。即ち、飾り戸２１の前面１７１に広告表記を記載して、飾り戸２１をポップとして機能させることができる。これにより、化粧箱１０内の商品を陳列展示するにあたり、化粧箱１０はポップ１７Ａ，２１を備えた展示効果の高いものとすることができる。
【００２７】
図８は、蓋用板紙１７を図５に示す紙製バネ１７Ｂにし、容器本体１０Ａ内に納めた状態の化粧箱１０の斜視図である。図９は、図８の化粧箱１０をＢ−Ｂに沿って切断した縦断面図である。
図８および図９を参照して、紙製バネ１７Ｂは、容器本体１０Ａの幅方向（短辺方向）にちょうど納まるもので、容器本体１０Ａ内に、長辺方向（前後方向）に伸長した状態に収容される。
【００２８】
そこで、この紙製バネ１７Ｂを、図１０に示すように、容器本体１０Ａ内に多くの商品Ｃが収容されている状態において背面１１と商品Ｃとの間に挿入すれば、商品Ｃが取り出されてその個数が少なくなっていくに従い、図１１に示すように、紙製バネ１７Ｂは、直列多段のバネ力により伸長し、容器本体１０Ａ内の商品Ｃを前方へ押し動かす。
このため、容器本体１０Ａ内の商品数が減った場合でも、商品Ｃは紙製バネ１７Ｂにより容器本体１０Ａの前方寄りに整列され、良好な陳列状態が維持される。
【００２９】
この実施形態では、紙製バネ１７Ｂは、折り線５ａ〜５ｅに沿って複数段の直列バネ段を有するので、伸長力（バネ力）が相対的に強く、商品Ｃを良好に押して陳列させることができる。
この発明は、以上説明した実施形態に限定されるものではなく、請求項記載の範囲内において種々の変更が可能である。
【００３０】
例えば、図８、図９の形態とは異なり、背面板紙１１から蓋用板紙１７を切り離すことなく、蓋用板紙１７に設けた折り線を適切に折って、収容された商品Ｃを容器本体１０Ａ内で所定の方向へ押圧できる形態としても良い。
【符号の説明】
【００３１】
１    板紙ブランク
２、３、４、６、９    折り線
５ａ、５ｂ、５ｃ、５ｄ、５ｅ    折り線
５Ｂ    切り込み、弧状の突部
７    切り線
８    弧状切り線
１０    化粧箱
１０Ａ    容器本体
１１    背面、背面板紙
１２    右側面、右側面板紙
１３    正面、正面板紙
１４    左側面、左側面板紙
１５    糊代
１６    底面、底面板紙
１７    蓋、蓋用板紙
１７Ａ    ポップ
１７Ｂ    紙製バネ
１８    上面、上面板紙
１９    フラップ板紙
２０    小フラップ
２１    飾り戸
１７０、１７１    前面
【図１】
2018047915.tif 000003
【図２】
2018047915.tif 000004
【図３】
2018047915.tif 000005
【図４】
2018047915.tif 000006
【図５】
2018047915.tif 000007
【図６】
2018047915.tif 000008
【図７】
2018047915.tif 000009
【図８】
2018047915.tif 000010
【図９】
2018047915.tif 000011
【図１０】
2018047915.tif 000012
【図１１】
2018047915.tif 000013